(57)【要約】【課題】構成が簡素で済み安価に提供できて、室名札部を水平方向揺動自在に確実に支持することのできる室名札取付体が望まれている。【解決手段】この室名札取付体１は、背面２Ａが柱Ｐの表面に取り付けられる基台部２と、室名を表示するための室名札部３と、室名札部３の後端部３Ａと基台部２とを連結して室名札部３を水平方向（Ｈ方向）揺動自在に支持する連結部と、を有して成り、基台部２の前面に、室名札部３の後端部を後方向（矢印Ｒ方向）に受ける受面部７，８が形成され、連結部は、前端が室名札部３に固定され後端が基台部２に固定されていて室名札部３を基台部２の受面部７，８に当接させる引張りコイルバネ４で構成されている。【選択図】図６
2014178430.tif 000002
【特許請求の範囲】
【請求項１】
背面が壁面に取り付けられる基台部と、室名を表示するための室名札部と、室名札部の後端部と基台部とを連結して室名札部を水平方向揺動自在に支持する連結部と、を有して成り、
前記基台部の前面に、室名札部の後端部を後方向に受ける受面部が形成され、
前記連結部は、前端が室名札部に固定され後端が基台部に固定されていて室名札部を基台部の受面部に当接させる引張りコイルバネで構成されていることを特徴とする室名札取付体。
【請求項２】
引張りコイルバネは、その巻心方向が基台部の背面に対し平面視で略直角の方向を向くように配置されている請求項１に記載の室名札取付体。
【請求項３】
基台部の受面部は、後向きに狭まるように互いに傾斜した左右の対向面によって構成され、室名札部の後端部は、後向きに狭まるように互いに傾斜した左右の傾斜面を備えており、室名札部の左右の傾斜面が基台部の左右の対向面に当接する構成にされている請求項１または請求項２に記載の室名札取付体。
【請求項４】
室名札部および基台部が、木材で構成されている請求項１から請求項３までのいずれか一項に記載の室名札取付体。
【発明の詳細な説明】
【技術分野】
【０００１】
本発明は、室名を表示するための室名札部を備えていて、廊下などの壁面に取り付けられる室名札取付体に関するものである。
【背景技術】
【０００２】
従来、この種の室名札取付体としては、例えば下記の特許文献１に記載されたものが知られている。この室名札取付体は、背面が壁面に取り付けられる基台部と、室名を表示するための室名札部と、室名札部の後端部を枢支して室名札部を水平方向揺動自在にする連結部としてのヒンジ部と、ヒンジ部の枢着軸に装着されて室名札部をホームポジションに復帰させるための捻りコイルバネと、ホームポジションに復帰した室名札部をその位置で軽く保持する掛止機構と、から構成されている。前記の掛止機構は、室名札部の後端部に形成された細穴と、細穴内に格納された小コイルバネと、小コイルバネの先端に取り付けられた規制ピンと、基台部に形成されていて規制ピンを出し入れ自在に収容する掛止穴と、から構成されている。この室名札取付体において、捻りコイルバネはその巻心方向が壁や柱と平行で縦向きの姿勢に配置されており、壁面と直角向きのホームポジションに室名札部を復帰させる力はコイルバネの捻り力を利用している。しかしながら、このような室名札取付体は、ヒンジ部と掛止機構とが必要であるので、部品点数が多くならざるを得ず、全体構成が複雑になって製造コストが高くつくという問題がある。
【０００３】
一方で、図９に示すような室名札取付体５１が、例えば下記の特許文献２に記載されている。この室名札取付体５１は、前面開口５５を有して箱体状に形成され、背面５２Ａが壁面などに取り付けられる基台部５２と、室名を表示するための室名札部５３と、室名札部５３の後端部と基台部５２とを連結して室名札部５３を水平方向（矢印Ｈ１またはＨ２方向）に揺動自在に支持するように基台部５２内に収容された枢軸部５６と、基台部５２内における枢軸部５６の背方に配備された圧縮コイルバネ５４と、から構成されている。室名札部５３の後端部は基台部５２の前面開口５５を貫通して枢軸部５６と連結されている。室名札部５３を同図（ｂ）で示されるホームポジションに復帰させる力は圧縮コイルバネ５４を巻心方向に押し戻す圧縮力を利用するものとされている。
【先行技術文献】
【特許文献】
【０００４】
【特許文献１】実開昭５６−６４０６９号公報
【特許文献２】実開昭５６−８０５６５号公報
【発明の概要】
【発明が解決しようとする課題】
【０００５】
しかしながら、前記した特許文献２記載の室名札取付体５１は、箱体状に形成された基台部５２と、基台部５２内に格納される枢軸部５６とが必要であるので、構造が複雑で製作が難しいことから製造コストが高くつくという難点がある。また、圧縮コイルバネ５４は基台部５２内で左右に移動するため、この構造では室名札部５３をたやすく揺動させることが難しく、実際に室名札部５３をホームポジションＳの位置に復帰させることは困難であろうと推察される。
【０００６】
本発明は、上記した従来の問題点に鑑みてなされたものであって、構成が簡素で済み安価に提供できて、室名札部を水平方向揺動自在に確実に支持することのできる室名札取付体の提供を目的とする。
【課題を解決するための手段】
【０００７】
上記目的を達成するために、本発明に係る室名札取付体は、背面が壁面に取り付けられる基台部と、室名を表示するための室名札部と、室名札部の後端部と基台部とを連結して室名札部を水平方向揺動自在に支持する連結部と、を有して成り、前記基台部の前面に、室名札部の後端部を後方向に受ける受面部が形成され、前記連結部は、前端が室名札部に固定され後端が基台部に固定されていて室名札部を基台部の受面部に当接させる引張りコイルバネで構成されているものである。尚、前記の基台部が取り付けられる壁面とは、廊下などの壁面はもとより柱の表面なども含むものとする。
【０００８】
また、前記構成において、引張りコイルバネは、その巻心方向が基台部の背面に対し平面視で略直角の方向を向くように配置されているものである。
【０００９】
そして、前記した各構成において、基台部の受面部は、後向きに狭まるように互いに傾斜した左右の対向面によって構成され、室名札部の後端部は、後向きに狭まるように互いに傾斜した左右の傾斜面を備えており、室名札部の左右の傾斜面が基台部の左右の対向面に当接する構成にされているものである。
【００１０】
更に、前記した各構成において、室名札部および基台部が木材で構成されているものである。
【発明の効果】
【００１１】
本発明に係る室名札取付体によれば、室名札部の後端部と基台部とを連結して室名札部を水平方向揺動自在に支持する連結部が、引張りコイルバネで構成されているので、構成が簡素で済み安価に提供することができる。斯かる構成は、引張りコイルバネの引張り弾性力により、室名札部を基台部の受面部に引きつけて当接させるので、室名札部を確実に水平方向揺動自在に支持することができる。
【００１２】
また、引張りコイルバネの巻心方向が基台部の背面に対し平面視で略直角の方向を向くように引張りコイルバネが配置されているものでは、室名札部が外部からの力により左右に揺動されても、引張りコイルバネの引張り弾性力により、基台部の背面に対し室名札部を平面視で略直角のホームポジションに復帰させることができる。
【００１３】
そして、基台部の受面部が左右の対向面によって構成され、室名札部の後端部が左右の傾斜面を備えているものでは、左右の対向面および傾斜面という簡素な構造により、基台部の受面部を構成できるとともに、室名札部を所定位置に確実に復帰させることも可能となる。
【００１４】
更に、前記した各構成において、室名札部および基台部が木材で構成されているものでは、見た目に温かみが感じられるとともに木の香りもするので、心を和ませることができる。また、木材として間伐材を用いることにより資源の無駄を解消して有効利用を図ることも可能となる。
【図面の簡単な説明】
【００１５】
【図１】本発明の一実施形態に係る室名札取付体が柱に取り付けられた状態を示す外観図である。
【図２】前記室名札取付体を分解した部分側断面図である。
【図３】前記室名札取付体の基台部を示す図であって、（ａ）は正面図、（ｂ）は背面図である。
【図４】前記室名札取付体の引張りコイルバネを示す斜視図である。
【図５】前記室名札取付体の一部破断した部分側断面図である。
【図６】前記室名札取付体の一部破断した部分平断面図である。
【図７】前記室名札取付体の基台部を柱に固定する態様を示す図であって、（ａ）は部分正面図、（ｂ）は部分平断面図である。
【図８】前記室名札取付体の室名札部の平面動作を示す動作説明図である。
【図９】従来の室名札取付体の平面動作を示す図であって、（ｂ）は室名札部が標準位置にあるときの部分平面図、（ａ）は室名札部が左側に揺動したときの部分平面図、（ｃ）は室名札部が右側に揺動したときの部分平面図である。
【発明を実施するための形態】
【００１６】
本発明の実施形態を図面に基づいて説明する。尚、以下に述べる実施形態は本発明を具体化した一例に過ぎず、本発明の技術的範囲を限定するものでない。図１は本発明の一実施形態に係る室名札取付体が柱に取り付けられた状態を示す外観図、図２は前記室名札取付体を分解した部分側断面図である。
各図において、この実施形態に係る室名札取付体１は、背面２Ａが柱Ｐの前面（壁面などの例）に取り付けられる基台部２と、室名（この例では「音楽室」）が例えばペンキや墨で描かれた室名札部３と、室名札部３の後端部３Ａと基台部２とを連結して室名札部２を水平方向（図６中の矢印Ｈ方向）に揺動自在に支持する引張りコイルバネ４と、基台部２を柱Ｐに固定するための止めネジ２６，２６と、引張りコイルバネ４の前端を室名札部３に固定するための止めネジ２５および座金２４と、引張りコイルバネ４の後端を基台部２に固定するための止めネジ１９および座金１８と、から構成されている。すなわち、この室名札取付体１は部品点数が非常に少ない構成となっている。前記の止めネジ１９，２５，２６としては、例えば汎用の木ネジやビスを利用するとよい。
【００１７】
前記の基台部２は、図３にも示されるように、正面視で矩形状の板体として形成されている。基台部２の前面２Ｂには、後向きに陥入し上下に延びる凹溝１１が形成されている。凹溝１１は下端部近傍の底面１２で留まっている。凹溝１１内において基台部２の上下ほぼ中央部には、前後貫通する挿通用孔１３が形成されている。凹溝１１内において挿通用孔１３の上方位置および下方位置には、基台部２を柱Ｐなどに固定する止めネジ２６，２６を通すための貫通孔１４，１５が、前後貫通して形成されている。基台部２の前面２Ｂにおける凹溝１１の左右両側には、後向き（図５中の矢印Ｒ方向）に狭まるように互いに傾斜した左右の対向面７，８が形成されている。これらの対向面７，８は、いずれも平らな平面に形成されている。これらの対向面７，８により、室名札部３の後端部３Ａを後方向に受ける受面部６が構成される。そして、基台部２の背面２Ａにおける挿通用孔１３の周囲には、背面視で円形状の凹溝１６が前向きに陥入して形成されている。挿通用孔１３の下方位置で凹溝１６内の背面には、引張りコイルバネ４の後端を固定するためのネジ穴１７が形成される。ネジ穴１７は凹溝１６内の背面であれば穿設位置は限定されない。
【００１８】
前記の室名札部３は側面視で矩形状の板体として形成されている。室名札部３の後端部３Ａの上下中央部には、前向きに穴あけされた装着用穴２０が開口している。装着用穴２０の奥底面にはネジ穴２１が形成される。そして、後端部３Ａの左右両側には、後向き（矢印Ｒ方向）に狭まるように互いに傾斜した傾斜面９，１０が形成されている。これらの傾斜面９，１０はいずれも平らな平面に形成されており、基台部２の受面部６の対向面７，８と摺動自在に接触できるようになっている。前記した基台部２および室名札部３は、いずれも間伐材などの木材で構成されている。また、基台部２のネジ穴１７と室名札部３のネジ穴２１は、予め小径の穴を開けておいたものでもよいし、あるいは全く穴の無い状態から止めネジ１９，２５を回すことにより形成したものでも構わない。
【００１９】
前記の引張りコイルバネ４は、図４にも示されるように、鋼線材が巻心Ｃの螺旋状に巻かれて成るコイル部２２と、コイル部２２の後端部２２Ａの鋼線材が引き出されて輪状に曲成された留輪部２３と、から構成されている。コイル部２２における前端部２２Ｂの近傍には、隣り合った鋼線材間に座金２４が挟み込まれている。この座金２４および既述の座金１８は円形リング板状の汎用品であり、止めネジ２５のネジ部を通過させてネジ頭を係止可能な貫通孔（図示省略）を有している。
【００２０】
ここで、室名札取付体１を図２の部品分解状態から組み立てる態様を説明する。まず、基台部２の前面２Ｂ側から挿通用孔１３に、引張りコイルバネ４の留輪部２３およびコイル部２２の後端部２２Ａが基台部２の背面２Ａ側まで通される。留輪部２３は、座金１８の貫通孔を通された止めネジ１９が基台部２の凹溝１６の背面にネジ止めされることにより固定される。その状態で、挿通用孔１３から前方に突出しているコイル部２２の前端部２２Ｂが、室名札部３の装着用穴２０内に装入される。
【００２１】
続いて、ドライバ（図示省略）の先端に掛止された止めネジ２５が、基台部２の背面２Ａ側から引張りコイルバネ４のコイル部２２内を通され、更に座金２４の貫通孔を通されてネジ頭が座金２４に掛止される（図３（ｂ）の２点鎖線で示す２５参照）。その状態で、ドライバが前向きに押し続けられると、引張りコイルバネ４のコイル部２２が伸長する。そうして、止めネジ２５が装着用穴２０の奥底面に当接したのちにドライバが回されることにより、止めネジ２５が装着用穴２０の奥底面にネジ止めされる。これにより、引張りコイルバネ４の前端部２２Ｂが室名札部３に固定され、後向きの引張り力が室名札部３にかかって室名札部３を基台部２の受面部６に当接させる。すなわち、引張りコイルバネ４により、前記の連結部５が構成される。このとき、引張りコイルバネ４は、その巻心Ｃ方向が基台部２の背面２Ａに対し直角方向を向いている。このように簡単な一連の操作だけで、室名札取付体１が組み立てられるのである。
【００２２】
前記のように組み立てられた室名札取付体１は、基台部２の背面２Ａが柱Ｐ前面の取付目標位置にあてがわれて片手で押し付けられ、図７に示すように、基台部２が押し付けられた状態で室名札部３が他方の手により例えば左方向（図７中の矢印Ｈ１方向）に揺動されて、柱Ｐの前面と略平行な姿勢にされる。このとき、引張りコイルバネ４は弾性変形しながら引き伸ばされる。これにより、凹溝１１の前方が開かれて貫通孔１４，１５が現われる。そこで、現われた貫通孔１４，１５に止めネジ２６，２６が通されたのち、柱Ｐにネジ止めされて基台部２が固定される。その後、室名札部３から手を離すと、引張りコイルバネ４の引張り弾性力により室名札部３が右方向（矢印Ｈ１と反対方向）に揺動して、室名札部３の前端部３ＢがホームポジションＳの位置に戻る。
【００２３】
上記のように構成された室名札取付体１の作用を次に説明する。ここで、引張りコイルバネ４は、引張りコイルバネ４は、その引張り弾性力により室名札部３の傾斜面９，１０を引きつけて、基台部２の受面部６の対向面７，８に弾性的に当接させる。すなわち、引張りコイルバネ４は、コイル部２２の前端部２２Ａが室名札部３の後部に固定されているので、室名札部３の前端部３Ｂを自由端として室名札部３を左右揺動自在に片持ち状に支持する。そこで、柱Ｐに取り付けられた室名札取付体１に対し、例えば廊下を歩いていた児童が悪戯により箒などで室名札部３の右側面を叩くと、図８に示すように、室名札部３は矢印Ｈ１方向に揺動しようとする。このとき、引張りコイルバネ４の引張り弾性力に抗して、室名札部３の傾斜面９，１０が基台部２における受面部６の対向面７，８上を横方向に摺動する。この場合、左側にある傾斜面９の後端部はいくぶん後方へ移動するが凹溝１１内に入り込むので、基台部２と干渉することがなく円滑に移動できる。同時に、引張りコイルバネ４は伸長しながら、名札部３の装着用穴２０の向きに沿って曲がり変形し、室名札部３が左方向に揺動していったん止まる。その後、引張りコイルバネ４の引張り弾性力により、室名札部３が右向き（矢印Ｈ１の反対方向）に揺動されて、符号カッコ内のＳで示す２点鎖線のホームポジションに室名札部３が戻るのである。他方で、室名札部３の左側面に物が当たったときは、室名札部３が矢印Ｈ２方向に揺動したのち、引張りコイルバネ４の引張り弾性力によって矢印Ｈ２と反対方向に揺動してホームポジションＳに戻る。すなわち、引張りコイルバネ４の配置および向き、基台部２の挿通用孔１３の向き、室名札部３の装着用孔２０の向き、基台部２の対向面７，８、ならびに室名札部３の傾斜面９，１０の組み合わせ構成により、基台部２に対するホームポジションＳの位置に室名札部３を復帰させることができる。
【００２４】
以上に述べたように、この実施形態の室名札取付体１によれば、室名札部３の後端部３Ａと基台部２とを連結して室名札部３を水平方向揺動自在に支持する連結部５が、引張りコイルバネ４で構成されているので、基台部２の受面部６に室名札部３を引きつけて当接させることができる。また、引張りコイルバネ４の巻心Ｃ方向が基台部２の背面２Ａに対し直角の方向を向くように引張りコイルバネ４が配置されているので、室名札部３が左右に揺動されても、引張りコイルバネ４の作用により室名札部３を基台部２の背面２Ａに対し平面視で直角のホームポジションＳに自動的に復帰させることができる。また、引張りコイルバネ４だけで、連結部５と復帰手段の両方の役割を果たすため、この室名札取付体１は構成が簡素であり且つ製造コストが安価で済むという効果がある。そして、基台部２の受面部６が互いに傾斜した左右の対向面７，８によって構成され、室名札部３の後端部３Ａが左右の傾斜面９，１０によって構成されているので、簡素な構造により基台部２の受面部６を構成することができ、室名札部３をホームポジションＳの位置に確実に復帰させる。
【００２５】
更に、室名札取付体１の大部分を成す基台部２および室名札部３が木材で構成されているので、木材として例えば間伐材を用いることにより資源の無駄を解消して有効利用につながるという利点がある。斯かる間伐材の樹種としては、スギ、ヒノキ、モミ、マツなどを用いることができる。木材として例えばスギまたはヒノキを用いると、見栄え、風合い、香りなどが良くなる。また、室名札部３の後端部３Ａは一部分が基台部２の前面２Ｂの受面部６内に入り込んでいるので、周りから見ると、金属部分は見えず、木材で構成された部分しか見えない。従って、室名札取付体１は見た目に温かみが感じられるとともに木の香りもするから、心が和むという付随効果も奏する。
【００２６】
尚、上記の実施形態では、基台部２の対向面７，８をいずれも平らな平面で構成したが、それに替えて、例えば平面視で後向きに凹んだ曲面にしても構わない。その場合、室名札部３の傾斜面９，１０の傾斜面は、前記の対向面７，８と嵌合して水平方向摺動自在となるように、平面視で後向きに膨らんだ曲面にされる。あるいは逆に、基台部２の対向面７，８を前向きに膨らんだ曲面とし、室名札部３の傾斜面９，１０を前向きに凹んだ曲面に形成してもよい。
【００２７】
また、上記では、室名札部３に室名をペンキなどで描いた態様を示したが、本発明に係る室名札部への表示態様としては、例えば彫刻、点描ブロックの貼付け、あるいは電光掲示など、種々の態様を利用することも可能である。
【符号の説明】
【００２８】
１  室名札取付体
２  基台部
２Ａ  背面
２Ｂ  前面
３  室名札部
３Ａ  後端部
３Ｂ  前端部
４  引張りコイルバネ
５  連結部
６  受面部
７，８  対向面
９，１０  傾斜面
１３  挿通用孔
１９  止めネジ
２０  装着用孔
２２  コイル部
２２Ａ  後端部
２２Ｂ  前端部
２３  留輪部
２５  止めネジ
２６  止めネジ
Ｃ  巻心
Ｈ，Ｈ１，Ｈ２  矢印
Ｐ  柱（壁面）
Ｒ  矢印
Ｓ  ホームポジション
【図１】
2014178430.tif 000003
【図２】
2014178430.tif 000004
【図３】
2014178430.tif 000005
【図４】
2014178430.tif 000006
【図５】
2014178430.tif 000007
【図６】
2014178430.tif 000008
【図７】
2014178430.tif 000009
【図８】
2014178430.tif 000010
【図９】
2014178430.tif 000011